(57)【要約】  ピアツーピア（Ｐ２Ｐ）通信をサポートするための技法について説明する。一態様では、デバイスは、トリガイベントに基づいてピア発見を実行する。１つの設計では、デバイスは、アプリケーションがデバイス上でアクティブになったこと、デバイスの位置の変化、デバイスがオンにされたことなどであり得る、ピア発見をトリガするイベントを検出する。デバイスは、ピア発見をトリガするイベントの検出に基づいてピア発見を実行する。１つの設計では、デバイスは、トリガイベントを検出したことに応答してピア発見を開始する。別の設計では、デバイスは、トリガイベントを検出したことに応答してピア発見の少なくとも１つの特性（たとえば、周期性）を変更する。別の設計では、デバイスは、アプリケーションがデバイス上でアクティブになったことを判断する。デバイスは、アプリケーションをサポートするために、ピアデバイスにサービスを要求するためのクエリを（たとえば、近傍検出信号中で）送信する。
2013534775.tif 000002
【特許請求の範囲】
【請求項１】
デバイスがピア発見をトリガするイベントを検出することと、
前記デバイスが、ピア発見をトリガする前記イベントの検出に基づいてピア発見を実行することと
を備える、ワイヤレス通信のための方法。
【請求項２】
ピア発見をトリガする前記イベントを前記検出することは、アプリケーションが前記デバイス上でアクティブになったことを検出することを備える、請求項１に記載の方法。
【請求項３】
ピア発見をトリガする前記イベントを前記検出することが、前記デバイスの位置の変化を検出することを備える、請求項１に記載の方法。
【請求項４】
前記デバイスの前記位置の前記変化を前記検出することが、前記デバイスのサービングセル、または前記デバイスによって行われる信号強度測定、または前記デバイスの測位、またはそれらの組合せに基づいて、前記デバイスの前記位置の前記変化を検出することを備える、請求項３に記載の方法。
【請求項５】
ピア発見をトリガする前記イベントを前記検出することは、前記デバイスがオンにされたことを検出することを備える、請求項１に記載の方法。
【請求項６】
ピア発見をトリガする前記イベントの検出に基づいてピア発見を前記実行することは、ピア発見をトリガする前記イベントを検出したことに応答して、前記デバイスがピア発見を開始することを備える、請求項１に記載の方法。
【請求項７】
ピア発見をトリガする前記イベントの検出に基づいてピア発見を前記実行することは、ピア発見をトリガする前記イベントを検出したことに応答して、前記デバイスが近傍検出信号を送信することを備える、請求項１に記載の方法。
【請求項８】
ピア発見をトリガするイベントが検出されなかったとき、前記デバイスによる前記近傍検出信号の送信をスキップすること
をさらに備える、請求項７に記載の方法。
【請求項９】
ピア発見をトリガする前記イベントの検出に基づいてピア発見を前記実行することが、ピア発見をトリガする前記イベントを検出したことに応答して、ピアデバイスからの近傍検出信号を受信することを備える、請求項１に記載の方法。
【請求項１０】
ピア発見をトリガするイベントが検出されなかったとき、前記ピアデバイスからの前記近傍検出信号の受信をスキップすること
をさらに備える、請求項９に記載の方法。
【請求項１１】
ピア発見をトリガする前記イベントの検出に基づいてピア発見を前記実行することは、ピア発見をトリガする前記イベントを検出したことに応答して、前記デバイスがピア発見の周期性を変更することを備える、請求項１に記載の方法。
【請求項１２】
ピア発見をトリガする前記イベントの検出に基づいてピア発見を前記実行することは、ピア発見をトリガする前記イベントを検出したことに応答して、前記デバイスがピア発見の少なくとも１つの特性を変更することを備える、請求項１に記載の方法。
【請求項１３】
ピア発見をトリガする前記イベントの検出に基づいてピア発見を前記実行することが、ピア発見をトリガする前記イベントを検出したことに応答して、近傍検出信号を複数回送信することを備える、請求項１に記載の方法。
【請求項１４】
前記近傍検出信号の連続送信が固定遅延によって離間される、請求項１３に記載の方法。
【請求項１５】
前記近傍検出信号の連続送信が、徐々に長くなる遅延によって離間される、請求項１３に記載の方法。
【請求項１６】
ピア発見をトリガするイベントが検出されなかったとき、第１の周期性で近傍検出信号を送信することと、
ピア発見をトリガする前記イベントが検出されたとき、第２の周期性で前記近傍検出信号を送信することであって、前記第１の周期性が前記第２の周期性よりも低い、送信することと
をさらに備える、請求項１に記載の方法。
【請求項１７】
デバイスがピア発見をトリガするイベントを検出するための手段と、
前記デバイスが、ピア発見をトリガする前記イベントの検出に基づいてピア発見を実行するための手段と
を備える、ワイヤレス通信のための装置。
【請求項１８】
ピア発見をトリガする前記イベントを検出するための前記手段は、アプリケーションが前記デバイス上でアクティブになったこと、または前記デバイスの位置の変化、または前記デバイスがオンにされたこと、を検出するための手段を備える、請求項１７に記載の装置。
【請求項１９】
前記デバイスが、ピア発見をトリガする前記イベントの検出に基づいてピア発見を実行するための前記手段は、ピア発見をトリガする前記イベントを検出したことに応答して、前記デバイスがピア発見を開始するための手段を備える、請求項１７に記載の装置。
【請求項２０】
前記デバイスが、ピア発見をトリガする前記イベントの検出に基づいてピア発見を実行するための前記手段は、ピア発見をトリガする前記イベントを検出したことに応答して、前記デバイスがピア発見の周期性を変更するための手段を備える、請求項１７に記載の装置。
【請求項２１】
デバイスがピア発見をトリガするイベントを検出し、前記デバイスが、ピア発見をトリガする前記イベントの検出に基づいてピア発見を実行するように構成された少なくとも１つのプロセッサ
を備える、ワイヤレス通信のための装置。
【請求項２２】
前記少なくとも１つのプロセッサは、アプリケーションが前記デバイス上でアクティブになったこと、または前記デバイスの位置の変化、またはピア発見をトリガする前記イベントとして前記デバイスがオンにされたこと、を検出するように構成された、請求項２１に記載の装置。
【請求項２３】
前記少なくとも１つのプロセッサが、ピア発見をトリガする前記イベントを検出したことに応答してピア発見を開始するように構成された、請求項２１に記載の装置。
【請求項２４】
前記少なくとも１つのプロセッサが、ピア発見をトリガする前記イベントを検出したことに応答してピア発見の周期性を変更するように構成された、請求項２１に記載の装置。
【請求項２５】
デバイスがピア発見をトリガするイベントを検出することを少なくとも１つのプロセッサに行わせるためのコードと、
前記デバイスが、ピア発見をトリガする前記イベントの検出に基づいてピア発見を実行することを、前記少なくとも１つのプロセッサに行わせるためのコードと
を備える非一時的コンピュータ可読媒体
を備える、コンピュータプログラム製品。
【請求項２６】
アプリケーションが第１のデバイス上でアクティブになったことを判断することと、
前記アプリケーションをサポートするために、前記第１のデバイスが第２のデバイスにサービスを要求するためのクエリを送信することと
を備える、ワイヤレス通信のための方法。
【請求項２７】
前記クエリを前記送信することが、前記クエリを備える近傍検出信号を送信することを備える、請求項２６に記載の方法。
【請求項２８】
前記クエリが、前記第１のデバイスによって要求された前記サービス、または前記サービスが要求される特定のデバイスタイプ、またはその両方を識別する、請求項２６に記載の方法。
【請求項２９】
前記クエリが、近傍検出信号を送信することを開始するように前記第２のデバイスに要求する、請求項２６に記載の方法。
【請求項３０】
前記クエリを送信した後に前記第２のデバイスからの近傍検出信号を検出すること
をさらに備える、請求項２６に記載の方法。
【請求項３１】
前記クエリが、ワイヤレスネットワークを介して前記第１のデバイスに連絡するように前記第２のデバイスに要求する、請求項２６に記載の方法。
【請求項３２】
アプリケーションが第１のデバイス上でアクティブなったことを判断するための手段と、
前記アプリケーションをサポートするために、前記第１のデバイスが第２のデバイスにサービスを要求するためのクエリを送信するための手段と
を備える、ワイヤレス通信のための装置。
【請求項３３】
前記クエリが、前記第１のデバイスによって要求された前記サービス、または前記サービスが要求される特定のデバイスタイプ、またはその両方を識別する、請求項３２に記載の装置。
【請求項３４】
前記クエリを送信した後に前記第２のデバイスからの近傍検出信号を検出するための手段
をさらに備える、請求項３２に記載の装置。
【請求項３５】
アプリケーションが第１のデバイス上でアクティブになったことを判断し、前記アプリケーションをサポートするために、前記第１のデバイスが第２のデバイスにサービスを要求するためのクエリを送信するように構成された少なくとも１つのプロセッサ
を備える、ワイヤレス通信のための装置。
【請求項３６】
前記クエリが、前記第１のデバイスによって要求された前記サービス、または前記サービスが要求される特定のデバイスタイプ、またはその両方を識別する、請求項３５に記載の装置。
【請求項３７】
前記少なくとも１つのプロセッサが、前記クエリを送信した後に前記第２のデバイスからの近傍検出信号を検出するように構成された、請求項３５に記載の装置。
【請求項３８】
アプリケーションが第１のデバイス上でアクティブになったことを判断することを少なくとも１つのプロセッサに行わせるためのコードと、
前記アプリケーションをサポートするために、前記第１のデバイスが第２のデバイスにサービスを要求するためのクエリを送信することを、前記少なくとも１つのプロセッサに行わせるためのコードと
を備える非一時的コンピュータ可読媒体
を備える、コンピュータプログラム製品。
【発明の詳細な説明】
【技術分野】
【０００１】
本出願は、その全体が参照により本明細書に組み込まれる、２０１０年６月２３日に出願された「EVENT TRIGGERED PEER DISCOVERY」と題する米国仮出願第６１／３５７，８８８号の優先権を主張する。
【０００２】
本開示は、一般に通信に関し、より詳細には、ピアツーピア（Ｐ２Ｐ）通信をサポートするための技法に関する。
【背景技術】
【０００３】
ワイヤレス通信ネットワークは、ボイス、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワーク（multiple-access networks）であり得る。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。ワイヤレス通信ネットワークはワイドエリアネットワーク（ＷＡＮ）と呼ばれることもある。
【０００４】
ワイヤレス通信ネットワークは、いくつかのデバイスの通信をサポートすることができるいくつかの基地局を含み得る。デバイスは、ダウンリンクおよびアップリンクを介して基地局と通信し得る。ダウンリンク（または順方向リンク）は、基地局からデバイスへの通信リンクを指し、アップリンク（または逆方向リンク）は、デバイスから基地局への通信リンクを指す。デバイスはまた、１つまたは複数の他のデバイスとピアツーピアで通信することが可能であり得る。デバイス間のＰ２Ｐ通信を効率的にサポートすることが望ましいことがある。
【発明の概要】
【０００５】
本明細書では、Ｐ２Ｐ通信をサポートするための技法について説明する。一態様では、デバイスは、トリガイベント（trigger event）に基づいてピア発見（peer discovery）を実行し得る。１つの設計では、デバイスは、周期的なレート（periodic rate）で常にピア発見を実行するのではなく、イベントによってトリガされたときにピア発見を実行し得る。別の設計では、デバイスは、イベントによってトリガされたときに異なる方法でピア発見を実行し得る。
【０００６】
１つの設計では、デバイスは、アプリケーションがデバイス上でアクティブになったこと、デバイスの位置の変化、デバイスがオンにされたことなどであり得る、ピア発見をトリガするイベント（event triggering peer discovery）を検出し得る。デバイスは、ピア発見をトリガするイベントの検出に基づいてピア発見を実行し得る。１つの設計では、デバイスは、トリガイベントを検出したことに応答してピア発見を開始し得る。別の設計では、デバイスは、トリガイベントを検出したことに応答してピア発見の少なくとも１つの特性（たとえば、周期性（periodicity））を変更し得る。デバイスは、ピア発見のために近傍検出信号（proximity detection signal）（ＰＤＳ）を送信し、および／または他のデバイスからの近傍検出信号を受信し得る。
【０００７】
別の設計では、デバイスは、アプリケーションがデバイス上でアクティブになったことを判断し得る。デバイスは、アプリケーションをサポートするために、ピアデバイス（peer device）にサービスを要求するためのクエリ（query）を（たとえば、近傍検出信号中で）送信し得る。クエリは、デバイスによって要求されたサービス、そのサービスが要求される特定のデバイスタイプ（たとえば、プリンタ）などを識別し得る。
【０００８】
本開示の様々な態様および特徴について以下でさらに詳細に説明する。
【図面の簡単な説明】
【０００９】
【図１】ワイヤレス通信ネットワークを示す図。
【図２】ベースラインＰＤＳ送信および受信方式を示す図。
【図３】クライアント主導型（client-driven）ＰＤＳ送信方式を示す図。
【図４】クライアント主導型ＰＤＳ受信方式を示す図。
【図５】低周期性（low periodicity）ＰＤＳ送信を用いたモビリティベース（mobility-based）ＰＤＳ送信を示す図。
【図６】ピア発見を実行するためのプロセスを示す図。
【図７】ピア発見を実行するためのプロセスを示す図。
【図８】デバイスのブロック図。
【図９】２つのデバイスのブロック図。
【詳細な説明】
【００１０】
本明細書で説明する技法は、ＣＤＭＡ、ＴＤＭＡ、ＦＤＭＡ、ＯＦＤＭＡ、ＳＣ−ＦＤＭＡおよび他のワイヤレスネットワークなど、様々なワイヤレス通信ネットワークに使用され得る。「ネットワーク」および「システム」という用語は、しばしば互換的に使用される。ＣＤＭＡネットワークは、ユニバーサル地上無線アクセス（Universal Terrestrial Radio Access）（ＵＴＲＡ）、ｃｄｍａ２０００などの無線技術を実装し得る。ＵＴＲＡは、広帯域ＣＤＭＡ（ＷＣＤＭＡ）、時分割同期ＣＤＭＡ（ＴＤ−ＳＣＤＭＡ）、およびＣＤＭＡの他の変形態を含む。ｃｄｍａ２０００は、ＩＳ−２０００、ＩＳ−９５およびＩＳ−８５６規格をカバーする。ＴＤＭＡネットワークは、移動通信のためのグローバルシステム（Global System for Mobile Communications）（ＧＳＭ）（登録商標）などの無線技術を実装し得る。ＯＦＤＭＡネットワークは、Ｅｖｏｌｖｅｄ  ＵＴＲＡ（Ｅ−ＵＴＲＡ）、ウルトラ・モバイル・ブロードバンド（Ultra Mobile Broadband）（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサル・モバイル通信システム（Universal Mobile Telecommunication System）（ＵＭＴＳ）の一部である。周波数分割複信（ＦＤＤ）と時分割複信（ＴＤＤ）の両方における３ＧＰＰ  ロング・ターム・エボリューション（Long Term Evolution）（ＬＴＥ）およびＬＴＥ−Ａｄｖａｎｃｅｄ（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシップ・プロジェクト（3rd Generation Partnership Project）」（３ＧＰＰ）という名称の組織からの文書に記載されている。ｃｄｍａ２０００およびＵＭＢは、「第３世代パートナーシップ・プロジェクト２（3rd Generation Partnership Project 2）」（３ＧＰＰ２）という名称の組織からの文書に記載されている。本明細書で説明する技法は、上記のワイヤレスネットワークおよび無線技術、ならびに他のワイヤレスネットワークおよび無線技術に使用され得る。
【００１１】
図１に、いくつかの基地局と他のネットワークエンティティとを含み得る、ワイヤレス通信ネットワーク１００を示す。簡単のために、図１にはただ１つの基地局１１０を示してある。基地局は、デバイスと通信するエンティティであり得、ノードＢ、発展型ノードＢ（evolved Node B）（ｅＮＢ）、アクセスポイントなどと呼ばれることもある。基地局は、特定の地理的エリアに通信カバレージを提供し得、カバレージエリア内に位置するデバイスのための通信をサポートし得る。ネットワーク容量を改善するために、基地局の全体的なカバレージエリアは複数（たとえば、３つ）のより小さいエリアに区分され得る。より小さいエリアの各々は、それぞれの基地局サブシステムによってサービスされ得る。３ＧＰＰでは、「セル」という用語は、この用語が使用される状況に応じて、基地局のカバレージエリアおよび／またはこのカバレージエリアをサービスする基地局サブシステムを指すことがある。
【００１２】
デバイス１２０はワイヤレスネットワーク全体に分散され得、各デバイスは固定型または移動型であり得る。デバイスは、ユーザ機器（ＵＥ）、ユーザデバイス、移動局、端末、アクセス端末、加入者ユニット、局、ノードなどと呼ばれることもある。デバイスは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、スマートフォン、ネットブック、スマートブック、タブレット、周辺デバイス（たとえば、プリンタ）などであり得る。デバイスは、ＷＡＮ通信のためにワイヤレスネットワーク中の基地局と通信し得る。また、デバイスは、Ｐ２Ｐ通信のために１つまたは複数の他のデバイスと直接通信し得る。Ｐ２Ｐ通信は、基地局を通過することのない、２つ以上のデバイス間の直接通信を指す。図１に示した例では、デバイス１２０ａおよび１２０ｂは、基地局１１０と通信し得、デバイス１２０ｂ、１２０ｃおよび１２０ｄはピアツーピアで通信し得る。デバイス１２０ｃおよび１２０ｄはまた、たとえば、Ｐ２Ｐ通信に関与しないとき、または場合によってはＰ２Ｐ通信と同時に、基地局と通信することが可能であり得る。
【００１３】
Ｐ２Ｐ通信における１つの課題は、特定の範囲内、たとえば、無線周波数（ＲＦ）範囲内の関心のある（of interest）ピアデバイスの発見／検出である。ピア発見を可能にするために、ピアツーピアで通信することができ、および／またはそうすることを望むデバイスは、近傍検出信号（proximity detection signal）（ＰＤＳ）を周期的に送信し得る。近傍検出信号は、ピア検出信号（peer detection signal）、ピア発見信号（peer discovery signal）などと呼ばれることもある。近傍検出信号は、パイロット信号または基準信号を備え得、その近傍検出信号を送信するデバイスを識別するために使用される情報を含み得る。デバイスは、それの近傍の近くの他のデバイスを、これらの他のデバイスによって送信されたピア検出信号に基づいて検出し得る。
【００１４】
近傍検出信号は、ピア発見のために役立ち得る様々な属性を有し得る。１つの設計では、近傍検出信号は低再使用（low reuse）で送信され得、それにより、近傍検出信号によって観測される干渉が低減され、より遠く離れて位置するデバイスによるその信号の検出が可能になり得る。近傍検出信号はまた、その近傍検出信号がより大きい信頼性で、および／または不十分なチャネル状態において検出され得るように送信され得る。近傍検出信号はまた、その信号を送信するために消費される送信電力ができるだけ小さくなるように設計され得る。
【００１５】
図２に、近傍検出信号の常時オン（always-on）送信および受信を用いたベースラインＰＤＳ送信および受信方式を示す。このベースラインＰＤＳ方式では、デバイスは、ＴPDS,CYCLEの各時間間隔（time interval）中に、ＴPDS,TXの平均持続時間の間に（for an average duration）（図２に「ＴＸ  ＰＤＳ」と標示された）それの近傍検出信号を送信し得、ＴPDS,RXの平均持続時間の間にピアデバイスからの（図２に「ＲＸ  ＰＤＳ」と標示された）近傍検出信号を検出し得、ＴPDS,TX、ＴPDS,RXおよびＴPDS,CYCLEは、それぞれ任意の好適な値であり得る。ＴPDS,TXは、１つのＰＤＳ送信間隔（transmission interval）の平均持続時間であり得る。ＴPDS,RXは、１つのＰＤＳ受信間隔の平均持続時間であり得る。ＴPDS,CYCLEは、１つのＰＤＳサイクルの持続時間であり得る。
【００１６】
１つの設計では、デバイスは、それのサービングセルに同期させられ得、そのサービングセルのタイミングに基づいてそれのＰＤＳ送信および受信間隔を判断し得る。デバイスは、ＰＤＳ受信間隔中に他のデバイスからの近傍検出信号を検出することが可能であり得る。異なるセルが同期させられない場合、デバイスは、関心のある各ネイバーセル（neighbor cell）によって送信された同期信号および／または基準信号に基づいて、その各ネイバーセルのタイミングを判断し得る。デバイスは、次いで、各ネイバーセルのタイミングに基づいて判断されたＰＤＳ受信間隔中に、その各ネイバーセルに同期させられた他のデバイスからの近傍検出信号を検出し得る。概して、デバイスのＰＤＳ送信および受信間隔は、連続することも連続しないこともあり、それぞれ、デバイスによるＰＤＳ送信および受信に関連するバッテリー電力消費量に比例し得る。
【００１７】
デバイスは、他のいかなるデバイスもそのデバイスと通信することに関心がないときでも、ベースラインＰＤＳ方式で近傍検出信号を周期的に送信および受信し得る。これにより、デバイスによる著しいバッテリー電力消費が生じ得、それにより、デバイスの待機バッテリー寿命が低下し得る。ピア発見に関連するバッテリー電力消費を低減することができる技法が望ましいであろう。
【００１８】
一態様では、デバイスは、トリガイベントに基づいてピア発見を実行し得る。イベントトリガ型ピア発見（event-triggered peer discovery）の１つの設計では、デバイスは、周期的なレートで常にピア発見を実行するのではなく、イベントによってトリガされたときにのみピア発見を実行し得る。この設計では、デバイスは、ピア発見のためのイベントによってトリガされたときにのみ、近傍検出信号を送信し、および／またはピアデバイスからの近傍検出信号を受信し得る。ピア発見は、このようにして、トリガイベントによって可能にされるか、またはトリガイベントの不在によってディスエーブルされ（disabled）得る。
【００１９】
イベントトリガ型ピア発見の別の設計では、デバイスは、イベントによってトリガされたときに異なる方法でピア発見を実行し得る。たとえば、デバイスは、イベントによってトリガされないときには、より低い頻度でピア発見を実行し得、イベントによってトリガされたときには、より高い頻度でピア発見を実行し得る。別の例として、デバイスは、イベントによってトリガされないときには、ピアデバイスからの近傍検出信号を検出することのみを行い得、イベントによってトリガされたときには、近傍検出信号を送信することと、近傍検出信号を検出することとを行い得る。
【００２０】
デバイスは、他の方法でトリガイベントに基づいてピア発見を実行し得る。１つの設計では、デバイスは、イベントトリガ型ピア発見を自律的に(autonomously)実行し得る。別の設計では、デバイスは、ネットワーク支援を受けてイベントトリガ型ピア発見を実行し得る。たとえば、ワイヤレスネットワークは、カバレージエリア内で利用可能であるいくつかのデバイスおよび／またはサービスを示す情報をブロードキャストし得る。デバイスは、この情報を使用して、イベントトリガ型ピア発見を実行すべきかどうかを決定し得る。いずれの場合も、イベントトリガ型ピア発見は、良好なパフォーマンスを与えながら、デバイスによるバッテリー電力消費を低減し得る。ピア発見は、以下で説明するように、様々なタイプのイベントによってトリガされ得る。
【００２１】
１つの設計では、デバイスは、アプリケーションがデバイス上でアクティブになったことに対応するトリガイベントに基づいてピア発見を実行し得る。デバイスは、アプリケーションがアクティブになったことによってトリガされたときにピア発見を開始し得るか、またはアプリケーションがアクティブになったときに、より高い周期性（すなわち、より速いレート）でピア発見を実行し得る。デバイスは、そのデバイス上のアクティブなアプリケーションによって要求されないときは、ピア発見をスキップし得るか、またはより低い周期性でピア発見を実行し得る。デバイスは、様々な方法でトリガイベントに基づいてピア発見を実行し得る。
【００２２】
図３に、イベントトリガ型ピア発見のために使用され得るクライアント主導型（client-driven）ＰＤＳ送信方式の設計を示す。この設計では、デバイス上のアプリケーションによってＰ２Ｐ通信が望まれるときにのみ、デバイスは近傍検出信号を送信し得る。この設計は、アプリケーション主導型（application-driven）ＰＤＳ送信と呼ばれることもある。
【００２３】
１つの設計では、デバイスは、それの近傍検出信号をいつ送信すべきかを自律的に判断し得る。時間Ｔ１において開始するＰＤＳサイクルでは、アプリケーションがＰ２Ｐ通信を望まないので、デバイスはそれの近傍検出信号を送信することをスキップし得る。しかしながら、デバイスは、依然としてピアデバイスからの近傍検出信号を受信し得る。時間Ｔ２において開始するＰＤＳサイクルでは、アプリケーションがＰ２Ｐ通信を望むので、デバイスはそれの近傍検出信号を送信し得る。デバイスはまた、ピアデバイスからの近傍検出信号を受信し得る。概して、デバイスは、アプリケーションがＰ２Ｐ通信を望むときにそれの近傍検出信号を送信し得、他の場合、それの近傍検出信号を送信することをスキップし得る。
【００２４】
図３に示した設計の場合、デバイスによる近傍検出信号の平均送信時間、Ｔclient-driven,PDS,TXは、  
Ｔclient-driven,PDS,TX, = λ・ＴPDS,TX               式（１）  
と表され得る。  
上式で、λは、デバイス上のアプリケーションがアクティブ／オンである時間の何分の１かの時間（a fraction of the time）である。λは小さい値であり得るので、デバイスの平均送信時間は、ベースラインＰＤＳ方式の平均送信時間よりもはるかに小さくなり得る。したがって、クライアント主導型ＰＤＳ送信方式では、バッテリー電力消費がはるかに低くなり得る。
【００２５】
図３に示した設計の場合、ピアデバイスからの近傍検出信号の平均受信時間は、ＴPDS,RXに等しくなり得、ベースラインＰＤＳ方式と変わらないままであり得る。これは、近傍検出信号の送信のために使用されるＰＤＳリソースの数がベースラインＰＤＳ方式の場合と同じであると仮定し得る。
【００２６】
図４に、イベントトリガ型ピア発見のためにも使用され得るクライアント主導型ＰＤＳ受信方式の設計を示す。この設計では、デバイス上のアプリケーションによってＰ２Ｐ通信が望まれるときにのみ、デバイスは近傍検出信号を受信し得る。この設計は、アプリケーション主導型ＰＤＳ受信、サーバベースＰＤＳ送信などと呼ばれることもある。
【００２７】
図４に示した設計では、デバイスは、ピアデバイスからの近傍検出信号をいつ受信すべきかを自律的に判断し得る。時間Ｔ１において開始するＰＤＳサイクルでは、アプリケーションがＰ２Ｐ通信を望まないので、デバイスは近傍検出信号を受信することをスキップし得る。しかしながら、デバイスは、依然としてそれの近傍検出信号を送信し得る。時間Ｔ２において開始するＰＤＳサイクルでは、アプリケーションがＰ２Ｐ通信を望むので、デバイスはピアデバイスからの近傍検出信号を受信し得、また、それの近傍検出信号を送信し得る。概して、デバイスは、アプリケーションがＰ２Ｐ通信を望むときにピアデバイスからの近傍検出信号を受信し得、他の場合、近傍検出信号の受信をスキップし得る。
【００２８】
図４に示した設計の場合、ピアデバイスからの近傍検出信号の平均受信時間、Ｔclient-driven,PDS,RXは、  
Ｔclient-driven,PDS,RX, = λ・ＴPDS,RX               式（２）  
と表され得る。  
λは小さい値であり得るので、デバイスの平均受信時間は、ベースラインＰＤＳ方式の平均受信時間よりもはるかに小さくなり得る。したがって、クライアント主導型ＰＤＳ受信方式では、バッテリー電力消費がはるかに低くなり得る。
【００２９】
１つの設計では、図４のクライアント主導型ＰＤＳ受信方式は、サーバデバイスがクライアントデバイスにサービスを提供するクライアントサーバアプリケーションのために使用され得る。サーバデバイスは、各ＰＤＳサイクル中でそれの近傍検出信号をブロードキャストし得、それの（１つまたは複数の）サービスを広告し得る。たとえば、サーバデバイスからの近傍検出信号は、１つまたは少数のビットを用いて「私はサービスＸを提供する」ことを示し得、オーバーヘッドへの影響を最小限にし得る。クライアントデバイスがサーバデバイスからサービスを取得することを望むときはいつでも、これらのクライアントデバイスはサーバデバイスからの近傍検出信号を検出し得る。
【００３０】
１つ設計では、図３のクライアント主導型ＰＤＳ送信方式はまた、クライアントサーバアプリケーションのために使用され得る。この設計は、アクティビティが低頻度であり得るアプリケーションのために使用され得る。この場合、クライアントデバイスは、特定のサービスについての要望を示すそれの近傍検出信号をブロードキャストすることがより効率的であり得る。たとえば、クライアントデバイスからの近傍検出信号は、１つまたは少数のビットを用いて「私にはサービスＸが必要（want）である」ことを示し得、オーバーヘッドへの影響を最小限にし得る。一例として、サーバデバイスは、たとえば、デスクトップコンピュータ、ラップトップコンピュータ、セルラー電話など、クライアントデバイスのドキュメントを印刷することができるプリンタであり得る。常にプリンタにそれの存在をブロードキャストさせるのではなく、プリンタを必要とするクライアントデバイスが、プリンタについての要望を示す（たとえば、「私にはプリンタが必要である」ことを示す）近傍検出信号をブロードキャストすることができる。プリンタは、クライアントデバイスからの近傍検出信号を検出し得、（ｉ）それの近傍検出信号を送信することを開始し、および／または（ｉｉ）ワイヤレスネットワークを介してクライアントデバイスに接続し得る。この設計は、サーバデバイスが、ピア発見のために受信専用モードで動作することと、サーバデバイスによって提供されるサービスをクライアントデバイスが望むときにのみ、オンになる（turn on）こととを可能にし得る。
【００３１】
上記で説明したクライアント主導型ＰＤＳ送信方式およびクライアント主導型ＰＤＳ受信方式は、アプリケーションがアクティブであるときにのみ、近傍検出信号を送信または受信することによってデバイスのバッテリー電力消費を低減し得る。どの特定の方式を使用すべきかは、どれくらいの頻度でアプリケーションがアクティブであるか、利用可能な電源などの様々なファクタに依存し得る。たとえば、サーバデバイス（たとえば、プリンタ）が電源コンセントに接続された場合、バッテリー電力消費は問題でない（not be a concern）ことがあり、常にサーバデバイスにそれの近傍検出信号を送信させることが望ましいことがある。概して、クライアント主導型ＰＤＳ送信方式および／またはクライアント主導型ＰＤＳ受信方式は、アプリケーションタイプ、サーバ属性、クライアント属性などの１つまたは複数のファクタに基づいてアプリケーションのために選択され得る。
【００３２】
クライアント主導型ＰＤＳ送信方式はまた、近傍検出信号を送信するために使用されるＰＤＳリソースの利用を低減し得る。クライアント主導型ＰＤＳ送信方式によって使用されるＰＤＳリソースの量は、ベースラインＰＤＳ方式と比較してλ分の１に低減され（reduced by a factor of λ）得る。より低いＰＤＳリソース利用が設計目的でない場合、ベースラインＰＤＳ方式の場合と同じＰＤＳリソースの量を使用することによって、著しく低減されたレイテンシ（latency）が達成され得る。特に、ＰＤＳサイクルは、ＴPDS,CYCLEからλ・ＴPDS,CYCLEに低減され得、近傍検出信号がその時間のλパーセントのみ送信されるので、同じＰＤＳリソースの量が使用され得る。しかしながら、遅延は、より短いＰＤＳサイクルにより、ＴPDS,RXからλ・ＴPDS,RXに低減され得る。ファクタλは、特定のアプリケーションに依存し得、１０-2程度またはそれより低くなり得る。たとえば、上記で説明したプリンタアプリケーションでは、プリント要求は、典型的なオフィスシナリオでは数分ごとに１回送られ、ホームシナリオでは数時間または偶数日（even days）ごとに１回送られ得る。したがって、クライアント主導型ＰＤＳ送信は、ベースラインＰＤＳ方式での数秒ごとと比較して、数分、数時間、または数日ごとに行われ得る。
【００３３】
クライアント主導型ＰＤＳ送信方式およびクライアント主導型ＰＤＳ受信方式は、まれにアクティブであるアプリケーションのバッテリー電力消費を著しく低減し得る。しかしながら、これらの方式は、ピア発見が継続的に実行される必要があるアプリケーションには適用可能でないことがある。一例は、友人のセルフォンが近くにある場合にセルフォンを呼び出すアプリケーションであり得る。そのようなアプリケーションでは、デバイスは、ピア発見を継続的に実行する必要があり得る。
【００３４】
１つの設計では、ピア発見を継続的に実行する必要があるデバイスのためにモビリティベース（mobility-based）ＰＤＳ送信方式が使用され得る。この方式では、デバイスは、それの位置が変化したときに、それの近傍検出信号を送信し、および／またはピアデバイスからの近傍検出信号を受信し得る。デバイスの位置の変化は、検出され得、デバイスによる近傍検出信号の送信をトリガし得る。
【００３５】
デバイスの位置の変化は、様々な方法で検出され得、正確に検出される必要がないことがある。１つの設計では、デバイスの位置は、それのサービングセルに基づいて判断され得、デバイスの位置を示すためにサービングセル識別情報（ＩＤ）が使用され得る。デバイスは、新たなサービングセルが選択された場合にそれの位置を変更したと見なされ得、それのサービングセルが変化したときにそれの近傍検出信号を送信し得る。別の設計では、デバイスの位置は、ＲＦフィンガープリンティング（RF finger printing）に基づいて判断され得る。この設計では、デバイスは、異なるセルの受信信号強度を測定し得、それらのセルの受信信号強度の十分な変化に基づいてデバイスが移動したと判断し得る。さらに別の設計では、デバイスの位置は、ＧＰＳ測位、ネットワークベースの測位などに基づいて判断され得る。デバイスは、それの前または現在の位置に基づいてそれの位置が変化したと判断し得る。さらに別の設計では、デバイスの位置の変化は、デバイスの速さ（speed）または速度（velocity）に基づいて検出され得る。速さは大きさを包含し得るが、速度は大きさと方向の両方を包含し得る。デバイスは、デバイスの速さまたは速度を判断することができるセンサまたは他の機構を含み得る。さらに別の設計では、デバイスの位置の変化は、他のデバイスからの近傍検出信号の受信信号強度の変化に基づいて検出され得る。２つ以上の他のデバイスからの近傍検出信号の受信信号強度が十分な量だけ変化した場合、デバイスは、（別のデバイスではなく）それが移動したと判断することが可能であり得る。デバイスはまた、他の方法でそれの位置の変化を検出し得る。
【００３６】
ユーザは、ほとんど常に固定であり得、ユーザのデバイスによって観測されるサービングセルの変化の平均数は、１日当たり１０回未満であり得る。ベースラインＰＤＳ方式では数秒ごとに１回のＰＤＳ送信があり得るのに対して、モビリティベースＰＤＳ送信方式では１日当たり数回のＰＤＳ送信があり得るので、モビリティベースＰＤＳ送信方式は、必要とされるＰＤＳ送信の数を数百または数千分の１に（by a factor of hundreds or thousands）減らし得る。
【００３７】
モビリティベースＰＤＳ送信方式は、たとえば、いくつかのセルをカバーする、比較的長い距離を有する近傍検出信号のために使用され得る。この場合、上記で説明したように、位置の変化の検出は、サービングセルＩＤに基づいて容易に実行され得る。モビリティベースＰＤＳ送信方式はまた、中間のまたはより短い距離を有する近傍検出信号のために使用され得る。この場合、位置の変化の検出は、測位（たとえば、ＧＰＳ測位またはネットワークベースの測位）、パイロット強度測定などに基づいて判断され得る。
【００３８】
１つの設計では、デバイスは、ネットワーク支援なしに、モビリティベースＰＤＳ送信を自律的に実行し得る。デバイスは、それの位置がいつ変化したかを判断し、位置の変化が検出されたときにそれの近傍検出信号を送信するためのそれ自体のアルゴリズムを有し得る。
【００３９】
概して、デバイスは、ピア発見をトリガするイベントが検出されたときはいつでも、それの近傍検出信号を送信し、および／または他のデバイスからの近傍検出信号を受信し得る。トリガイベントは、アプリケーションがアクティブになったこと、またはデバイスの位置の変化、またはデバイスが電源投入されたことなどに対応し得る。
【００４０】
たとえば、モビリティベースＰＤＳ送信方式またはクライアント主導型ＰＤＳ送信方式では、イベントトリガ型ピア発見のためにＰＤＳ送信が送られる頻度が低い、ピア発見を改善するための様々な技法が使用され得る。
【００４１】
１つの設計では、デバイスは、ピア発見をトリガするイベントの検出に応答して、それの近傍検出信号を複数回送信し得る。この設計は、他のデバイスによる近傍検出信号の受信を改善し得る。１つの設計では、近傍検出信号の連続送信（successive transmissions）が固定遅延（fixed delay）によって一様に離間され（spaced apart）得る。別の設計では、近傍検出信号の連続送信が、徐々に長くなる（指数関数的に増加する）遅延によって離間され得る。両方の設計の場合、他のデバイスからの近傍検出信号との衝突をランダム化するために、近傍検出信号の連続送信間の遅延にある程度のランダム性が導入され得る。
【００４２】
別の設計では、所与のデバイスＡは、移動したピアデバイスによる検出を可能にするために、デバイスＡが電源投入されたときに、それの近傍検出信号を送信し得る。デバイスＡは、別のデバイスＢが移動し、それの近傍検出信号を送信したときに、オフにされ得る。したがって、デバイスＡは、デバイスＢがデバイスＡの近傍に移動したことを知らないことがある。デバイスＡは、デバイスＢがデバイスＡを検出するように、デバイスＡがオンにされたときに、それの近傍検出信号を送信し得る。
【００４３】
さらに別の設計では、トリガイベントが検出されなかったとき、デバイスは低い周期性でピア発見を実行し得る。トリガイベントが検出されたとき、デバイスは、より高い周期性および／または異なる方法でピア発見を実行し得る。
【００４４】
図５に、低周期性ＰＤＳ送信を用いたモビリティベースＰＤＳ送信の設計を示す。この設計では、デバイスは、それの位置が変化したときはいつでも、それの近傍検出信号を送信し得る。デバイスはまた、それの位置の変化がない場合でも、低い周期性でそれの近傍検出信号を送信し得る。特に、デバイスは、ベースラインＰＤＳ方式におけるＴPDS,CYCLEよりも長くなり得る、ＴPDS,LONG_CYCLEのあらゆるサイクル中で、それの近傍検出信号を送信し得る。
【００４５】
デバイスはまた、イベントトリガ型ピア発見のための近傍検出信号の受信を改善するために、他の方法でそれの近傍検出信号を送信し得る。上記で説明した設計のうちのいずれか１つまたは任意の組合せが使用され得る。
【００４６】
図６に、ピア発見を実行するためのプロセス６００の設計を示す。プロセス６００は、（以下で説明するように）デバイスによって、または何らかの他のエンティティによって実行され得る。デバイスは、デバイスによるピア発見をトリガするイベントを検出する（ブロック６１２）。１つの設計では、デバイスは、トリガイベントとしてアプリケーションがデバイス上でアクティブになったことを検出し得る。別の設計では、デバイスは、トリガイベントとしてそれの位置の変化を検出し得る。デバイスは、デバイスのサービングセル（たとえば、サービングセルの変化）、デバイスによって行われる信号強度測定、デバイスの測位などに基づいて、それの位置の変化を検出し得る。さらに別の設計では、デバイスは、トリガイベントとしてオンにされたことを検出し得る。デバイスはまた、他の方法でトリガイベントを検出し得る。
【００４７】
デバイスは、ピア発見をトリガするイベントの検出に基づいてピア発見を実行する（ブロック６１４）。１つの設計では、デバイスは、トリガイベントを検出したことに応答してピア発見を開始し得る。１つの設計では、たとえば、図３に示したように、デバイスは、トリガイベントを検出したことに応答して近傍検出信号を送信し得る。トリガイベントが検出されなかったとき、デバイスは近傍検出信号の送信をスキップし得る。別の設計では、たとえば、図４に示したように、デバイスは、トリガイベントを検出したことに応答してピアデバイスからの近傍検出信号を受信し得る。トリガイベントが検出されなかったとき、デバイスはピアデバイスからの近傍検出信号を受信することをスキップし得る。
【００４８】
別の設計では、デバイスは、トリガイベントを検出したことに応答してピア発見の少なくとも１つの特性を変更し得る。たとえば、デバイスは、トリガイベントを検出したことに応答してピア発見の周期性を変更し得る。
【００４９】
１つの設計では、クライアント主導型ＰＤＳ送信の場合、デバイスは、アプリケーションがアクティブになったときに近傍検出信号を送信し得る。デバイスは、アプリケーションがアクティブでないときに近傍検出信号の送信をスキップし得る。１つの設計では、クライアント主導型ＰＤＳ受信の場合、デバイスは、アプリケーションがアクティブになったときにピアデバイスからの近傍検出信号を受信し得る。デバイスは、アプリケーションがアクティブでないときに、ピアデバイスからの近傍検出信号を受信することをスキップし得る。１つの設計では、モビリティベースＰＤＳ送信の場合、デバイスは、それの位置の変化が検出されたときに近傍検出信号を送信し得る。１つの設計では、デバイスは、デバイスがオンにされたときに近傍検出信号を送信し得る。デバイスはまた、他の方法で近傍検出信号を送信し、および／またはピアデバイスからの近傍検出信号を受信し得る。
【００５０】
１つの設計では、デバイスは、トリガイベントを検出したことに応答して、近傍検出信号を複数回送信し得る。１つの設計では、近傍検出信号の連続送信が固定遅延によって離間され得る。別の設計では、近傍検出信号の連続送信が、徐々に長くなる遅延によって離間され得る。
【００５１】
１つの設計では、ピア発見をトリガするイベントが検出されなかったとき、デバイスは第１の周期性で近傍検出信号を送信し得る。ピア発見をトリガするイベントが検出されたとき、デバイスは第２の周期性で近傍検出信号を送信し得る。第１の周期性は第２の周期性よりも低くなり得る。
【００５２】
図７に、ピア発見を実行するためのプロセス７００の設計を示す。プロセス７００は、（以下で説明するように）第１のデバイスによって、または何らかの他のエンティティによって実行され得る。第１のデバイスは、アプリケーションが第１のデバイス上でアクティブになったことを判断する（ブロック７１２）。第１のデバイスは、アプリケーションをサポートするために、第２のデバイス／ピアデバイスにサービスを要求するためのクエリを送信する（ブロック７１４）。１つの設計では、クエリは、ピア発見のために第１のデバイスによって送信され得る近傍検出信号中で送られ得る。クエリは他の方法でも送られ得る。クエリは、第１のデバイスによって要求されたサービス、そのサービスが要求される特定のデバイスタイプ（たとえば、プリンタ）などを識別し得る。
【００５３】
１つの設計では、クエリは、近傍検出信号を送信することを開始するように第２のデバイスに要求し得る。第１のデバイスは、クエリを送信した後に第２のデバイスからの近傍検出信号を検出し得る（ブロック７１６）。別の設計では、クエリは、ワイヤレスネットワークを介して第１のデバイスに連絡する（contact）ように第２のデバイスに要求し得る。第１のデバイスは、次いで、ワイヤレスネットワークを介して第２のデバイスと通信し得る。
【００５４】
図８に、図１のデバイスの１つであり得るデバイス１２０ｕの設計のブロック図を示す。デバイス１２０ｕ内で、受信機８１２は、Ｐ２Ｐ通信のために他のデバイスによって送信されたＰ２Ｐ信号と、ＷＡＮ通信のために基地局によって送信されたダウンリンク信号とを受信し得る。送信機８１４は、Ｐ２Ｐ通信のためにＰ２Ｐ信号を他のデバイスに送信し、ＷＡＮ通信のためにアップリンク信号を基地局に送信し得る。
【００５５】
モジュール８１６は、Ｐ２Ｐ信号を生成し得、Ｐ２Ｐ通信のためにＰ２Ｐ信号を他のデバイスに送り得る。モジュール８１８は、他のデバイスからのＰ２Ｐ信号を受信し得、受信したＰ２Ｐ信号を処理し得る。モジュール８２０は、デバイス１２０ｕのために近傍検出信号を生成し得、他のデバイスがデバイス１２０ｕの存在を検出することを可能にするためにその近傍検出信号を送り得る。モジュール８２２は、他のデバイスからの近傍検出信号を検出し得る。モジュール８２４は、アップリンク信号を生成し得、ＷＡＮ通信のためにアップリンク信号を基地局に送り得る。モジュール８２６は、基地局からダウンリンク信号を受信し得、受信したダウンリンク信号を処理し得る。
【００５６】
デバイス１２０ｕ内の様々なモジュールは、上記で説明したように動作し得る。コントローラ／プロセッサ８２８は、デバイス１２０ｕ内の様々なモジュールの動作を指示し得る。メモリ８３０は、デバイス１２０ｕのデータとプログラムコードとを記憶し得る。デバイス１２０ｕ内のモジュールは、プロセッサ、電子デバイス、ハードウェアデバイス、電子構成要素、論理回路、メモリ、ソフトウェアコード、ファームウェアコードなど、またはそれらの任意の組合せを備え得る。
【００５７】
図９に、図１の任意の２つのデバイス１２０であり得るデバイス１２０ｘおよび１２０ｙの設計のブロック図を示す。この設計では、デバイス１２０ｘはＴ個のアンテナ９３４ａ〜９３４ｔを装備し、デバイス１２０ｙはＲ個のアンテナ９５２ａ〜９５２ｒを装備し、一般にＴ≧１およびＲ≧１である。
【００５８】
デバイス１２０ｘにおいて、送信プロセッサ９２０は、データソース９１２からデータを受信し、コントローラ／プロセッサ９４０から制御情報を受信し得る。送信プロセッサ９２０は、データと制御情報とを処理（たとえば、符号化、インターリーブ、およびシンボルマッピング）し、それぞれデータシンボルと制御シンボルとを与え得る。ＰＤＳプロセッサ９４４は、近傍検出信号のための基準シンボルを生成し得る。送信（ＴＸ）多入力多出力（ＭＩＭＯ）プロセッサ９３０は、適用可能な場合（if applicable）、データシンボル、制御シンボル、および／または基準シンボルに対して空間処理（たとえば、プリコーディング）を実行し得、Ｔ個の出力シンボルストリームをＴ個の変調器（ＭＯＤ）９３２ａ〜９３２ｔに与え得る。各変調器９３２は、（たとえば、ＯＦＤＭ、ＳＣ−ＦＤＭなどのために）それぞれの出力シンボルストリームを処理して出力サンプルストリームを取得し得る。各変調器９３２はさらに、出力サンプルストリームを処理（たとえば、アナログへの変換、増幅、フィルタ処理、およびアップコンバート）して変調された信号を取得し得る。変調器９３２ａ〜９３２ｔからのＴ個の変調された信号は、それぞれＴ個のアンテナ９３４ａ〜９３４ｔを介して送信され得る。
【００５９】
デバイス１２０ｙにおいて、アンテナ９５２ａ〜９５２ｒは、デバイス１２０ｘ、他のデバイス、および／または基地局から変調された信号を受信し得、受信信号をそれぞれ復調器（ＤＥＭＯＤ）９５４ａ〜９５４ｒに与え得る。各復調器９５４は、それぞれの受信信号を調整（たとえば、フィルタ処理、増幅、ダウンコンバート、およびデジタル化）して受信サンプルを取得し得る。各復調器９５４はさらに、（たとえば、ＯＦＤＭ、ＳＣ−ＦＤＭなどのために）受信サンプルを処理して受信シンボルを取得し得る。ＭＩＭＯ検出器９５６は、すべてのＲ個の復調器９５４ａ〜９５４ｒから受信シンボルを取得し、適用可能な場合、受信シンボルに対してＭＩＭＯ検出を実行し、検出されたシンボルを与え得る。受信プロセッサ９５８は、検出されたシンボルを処理（たとえば、復調、デインターリーブ、および復号）し、復号されたデータをデータシンク９６０に与え、復号された制御情報をコントローラ／プロセッサ９８０に与え得る。ＰＤＳプロセッサ９８４は、デバイス１２０ｘおよび／または他のデバイスからの近傍検出信号を検出し得る。
【００６０】
デバイス１２０ｙにおいて、データソース９６２からのデータと、コントローラ／プロセッサ９８０からの制御情報と、ＰＤＳプロセッサ９８４からの近傍検出信号のための基準シンボルとが送信プロセッサ９６４によって処理され、適用可能な場合、ＴＸ  ＭＩＭＯプロセッサ９６６によってプリコードされ、さらに変調器９５４によって処理され、アンテナ９５２を介して送信され得る。デバイス１２０ｘにおいて、デバイス１２０ｙと他のデバイスと基地局とからの変調された信号は、アンテナ９３４によって受信され、復調器９３２によって処理され、適用可能な場合、ＭＩＭＯ検出器９３６によって検出され、さらに受信プロセッサ９３８によって処理されて、デバイス１２０ｙによって送信された、復号されたデータおよび制御情報を取得し得る。ＰＤＳプロセッサ９４４は、デバイス１２０ｙおよび／または他のデバイスからの近傍検出信号を検出し得る。
【００６１】
コントローラ／プロセッサ９４０および９８０は、それぞれデバイス１２０ｘおよび１２０ｙにおける動作を指示し得る。デバイス１２０ｘにおけるコントローラ／プロセッサ９４０ならびに／または他のプロセッサおよびモジュールは、図６のプロセス６００、図７のプロセス７００、および／または本明細書で説明した技法のための他のプロセスを実行または指示し得る。デバイス１２０ｙにおけるコントローラ／プロセッサ９８０ならびに／または他のプロセッサおよびモジュールはまた、プロセス６００、プロセス７００、および／または本明細書で説明した技法のための他のプロセスを実行または指示し得る。メモリ９４２および９８２は、それぞれデバイス１２０ｘおよび１２０ｙのためのデータおよびプログラムコードを記憶し得る。
【００６２】
一構成では、ワイヤレス通信のための装置１２０ｕ、１２０ｘ、または１２０ｙは、デバイスがピア発見をトリガするイベントを検出するための手段と、デバイスが、ピア発見をトリガするイベントの検出に基づいてピア発見を実行するための手段とを含み得る。
【００６３】
別の構成では、ワイヤレス通信のための装置１２０ｕ、１２０ｘ、または１２０ｙは、アプリケーションが第１のデバイス上でアクティブになったことを判断するための手段と、アプリケーションをサポートするために、第１のデバイスが第２のデバイスにサービスを要求するためのクエリを送信するための手段と、クエリを送信した後に第２のデバイスからの近傍検出信号を検出するための手段とを含み得る。
【００６４】
一態様では、上述の手段は、上述の手段によって具陳された機能を実行するように構成され得る、デバイス１２０ｕにおけるモジュール８１６、８１８、８２０および／または８２２、デバイス１２０ｘにおけるプロセッサ９２０、９３８、９４０および／または９４４、またはデバイス１２０ｙにおけるプロセッサ９５８、９６４、９８０および／または９８４であり得る。別の態様では、上述の手段は、上述の手段によって具陳された機能を実行するように構成された１つまたは複数のモジュールまたは任意の装置であり得る。
【００６５】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００６６】
さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【００６７】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００６８】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００６９】
１つまたは複数の例示的な設計では、説明した機能は、ハードウェア、ソフトウェア、ファームウェア、またはそれらの組合せで実装され得る。ソフトウェアで実装された場合、機能は、１つまたは複数の命令またはコードとしてコンピュータ可読媒体に記憶されるか、またはコンピュータ可読媒体を介して送信され得る。コンピュータ可読媒体は、ある場所から別の場所へのコンピュータプログラムの転送を可能にする任意の媒体を含む通信媒体と、コンピュータ記憶媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。
【００７０】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2013534775.tif 000003
【図２】
2013534775.tif 000004
【図３】
2013534775.tif 000005
【図４】
2013534775.tif 000006
【図５】
2013534775.tif 000007
【図６】
2013534775.tif 000008
【図７】
2013534775.tif 000009
【図８】
2013534775.tif 000010
【図９】
2013534775.tif 000011
【手続補正書】
【提出日】平成25年1月17日(2013.1.17)
【手続補正１】
【補正対象書類名】特許請求の範囲
【補正対象項目名】全文
【補正方法】変更
【補正の内容】
【特許請求の範囲】
【請求項１】
イベントトリガ型ピア発見を実行すべきか否かを決定することと、
イベントトリガ型ピア発見を実行する決定が行われた場合、デバイスがピア発見をトリガするイベントを検出することと、
前記デバイスが、ピア発見をトリガする前記イベントの検出に基づいてピア発見を実行することと
を備える、ワイヤレス通信のための方法。
【請求項２】
ピア発見をトリガする前記イベントを前記検出することは、アプリケーションが前記デバイス上でアクティブになったことを検出することを備える、請求項１に記載の方法。
【請求項３】
ピア発見をトリガする前記イベントを前記検出することが、前記デバイスの位置の変化を検出することを備える、請求項１に記載の方法。
【請求項４】
前記デバイスの前記位置の前記変化を前記検出することが、前記デバイスのサービングセル、または前記デバイスによって行われる信号強度測定、または前記デバイスの測位、またはそれらの組合せに基づいて、前記デバイスの前記位置の前記変化を検出することを備える、請求項３に記載の方法。
【請求項５】
ピア発見をトリガする前記イベントを前記検出することは、前記デバイスがオンにされたことを検出することを備える、請求項１に記載の方法。
【請求項６】
ピア発見をトリガする前記イベントの検出に基づいてピア発見を前記実行することは、ピア発見をトリガする前記イベントを検出したことに応答して、前記デバイスがピア発見を開始することを備える、請求項１に記載の方法。
【請求項７】
ピア発見をトリガする前記イベントの検出に基づいてピア発見を前記実行することは、ピア発見をトリガする前記イベントを検出したことに応答して、前記デバイスが近傍検出信号を送信することを備える、請求項１に記載の方法。
【請求項８】
ピア発見をトリガするイベントが検出されなかったとき、前記デバイスによる前記近傍検出信号の送信をスキップすること
をさらに備える、請求項７に記載の方法。
【請求項９】
ピア発見をトリガする前記イベントの検出に基づいてピア発見を前記実行することが、ピア発見をトリガする前記イベントを検出したことに応答して、ピアデバイスからの近傍検出信号を受信することを備える、請求項１に記載の方法。
【請求項１０】
ピア発見をトリガするイベントが検出されなかったとき、前記ピアデバイスからの前記近傍検出信号の受信をスキップすること
をさらに備える、請求項９に記載の方法。
【請求項１１】
ピア発見をトリガする前記イベントの検出に基づいてピア発見を前記実行することは、ピア発見をトリガする前記イベントを検出したことに応答して、前記デバイスがピア発見の周期性を変更することを備える、請求項１に記載の方法。
【請求項１２】
ピア発見をトリガする前記イベントの検出に基づいてピア発見を前記実行することは、ピア発見をトリガする前記イベントを検出したことに応答して、前記デバイスがピア発見の少なくとも１つの特性を変更することを備える、請求項１に記載の方法。
【請求項１３】
ピア発見をトリガする前記イベントの検出に基づいてピア発見を前記実行することが、ピア発見をトリガする前記イベントを検出したことに応答して、近傍検出信号を複数回送信することを備える、請求項１に記載の方法。
【請求項１４】
前記近傍検出信号の連続送信が固定遅延によって離間される、請求項１３に記載の方法。
【請求項１５】
前記近傍検出信号の連続送信が、徐々に長くなる遅延によって離間される、請求項１３に記載の方法。
【請求項１６】
ピア発見をトリガするイベントが検出されなかったとき、第１の周期性で近傍検出信号を送信することと、
ピア発見をトリガする前記イベントが検出されたとき、第２の周期性で前記近傍検出信号を送信することであって、前記第１の周期性が前記第２の周期性よりも低い、送信することと
をさらに備える、請求項１に記載の方法。
【請求項１７】
イベントトリガ型ピア発見を実行すべきか否かを決定するための手段と、
イベントトリガ型ピア発見を実行する決定が行われた場合、デバイスがピア発見をトリガするイベントを検出するための手段と、
前記デバイスが、ピア発見をトリガする前記イベントの検出に基づいてピア発見を実行するための手段と
を備える、ワイヤレス通信のための装置。
【請求項１８】
ピア発見をトリガする前記イベントを検出するための前記手段は、アプリケーションが前記デバイス上でアクティブになったこと、または前記デバイスの位置の変化、または前記デバイスがオンにされたことを検出するための手段を備える、請求項１７に記載の装置。
【請求項１９】
前記デバイスが、ピア発見をトリガする前記イベントの検出に基づいてピア発見を実行するための前記手段は、ピア発見をトリガする前記イベントを検出したことに応答して、前記デバイスがピア発見を開始するための手段を備える、請求項１７に記載の装置。
【請求項２０】
前記デバイスが、ピア発見をトリガする前記イベントの検出に基づいてピア発見を実行するための前記手段は、ピア発見をトリガする前記イベントを検出したことに応答して、前記デバイスがピア発見の周期性を変更するための手段を備える、請求項１７に記載の装置。
【請求項２１】
イベントトリガ型ピア発見を実行すべきか否かを決定し、イベントトリガ型ピア発見を実行する決定が行われた場合、デバイスがピア発見をトリガするイベントを検出し、前記デバイスが、ピア発見をトリガする前記イベントの検出に基づいてピア発見を実行するように構成された少なくとも１つのプロセッサ
を備える、ワイヤレス通信のための装置。
【請求項２２】
前記少なくとも１つのプロセッサは、アプリケーションが前記デバイス上でアクティブになったこと、または前記デバイスの位置の変化、またはピア発見をトリガする前記イベントとして前記デバイスがオンにされたことを検出するように構成された、請求項２１に記載の装置。
【請求項２３】
前記少なくとも１つのプロセッサが、ピア発見をトリガする前記イベントを検出したことに応答してピア発見を開始するように構成された、請求項２１に記載の装置。
【請求項２４】
前記少なくとも１つのプロセッサが、ピア発見をトリガする前記イベントを検出したことに応答してピア発見の周期性を変更するように構成された、請求項２１に記載の装置。
【請求項２５】
イベントトリガ型ピア発見を実行すべきか否かを決定するためのコードと、
イベントトリガ型ピア発見を実行する決定が行われた場合、デバイスがピア発見をトリガするイベントを検出することを少なくとも１つのプロセッサに行わせるためのコードと、
前記デバイスが、ピア発見をトリガする前記イベントの検出に基づいてピア発見を実行することを、前記少なくとも１つのプロセッサに行わせるためのコードと
を備える非一時的コンピュータ可読媒体
を備える、コンピュータプログラム製品。
【請求項２６】
前記決定が、ワイヤレスネットワーク中でブロードキャストされた情報に基づいて行われる、請求項１に記載の方法。
【請求項２７】
前記決定が、前記ブロードキャストされた情報中に示されている、前記ワイヤレスネットワークのカバレージエリア内で利用可能な少なくとも１つのデバイスまたはサービスに基づく、請求項２６に記載の方法。
【請求項２８】
決定するための前記手段が、ワイヤレスネットワーク中でブロードキャストされた情報に基づいて決定を行うように構成された、請求項１７に記載の装置。
【請求項２９】
前記決定が、前記ブロードキャストされた情報中に示されている、前記ワイヤレスネットワークのカバレージエリア内で利用可能な少なくとも１つのデバイスまたはサービスに基づく、請求項２８に記載の装置。
【請求項３０】
前記少なくとも１つのプロセッサが、ワイヤレスネットワーク中でブロードキャストされた情報に基づいて決定を行うように構成された、請求項２１に記載の装置。
【請求項３１】
前記決定が、前記ブロードキャストされた情報中に示されている、前記ワイヤレスネットワークのカバレージエリア内で利用可能な少なくとも１つのデバイスまたはサービスに基づく、請求項３０に記載の装置。
【請求項３２】
決定するための前記コードが、ワイヤレスネットワーク中でブロードキャストされた情報に基づいて、イベントトリガ型ピア発見を実行すべきか否かを決定するためのコードを備える、請求項２５に記載のコンピュータプログラム製品。
【請求項３３】
前記決定が、前記ブロードキャストされた情報中に示されている、前記ワイヤレスネットワークのカバレージエリア内で利用可能な少なくとも１つのデバイスまたはサービスに基づく、請求項３２に記載のコンピュータプログラム製品。
【手続補正２】
【補正対象書類名】明細書
【補正対象項目名】００７０
【補正方法】変更
【補正の内容】
【００７０】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本件出願当初の特許請求の範囲に記載された発明を付記する。
［Ｃ１］デバイスがピア発見をトリガするイベントを検出することと、
前記デバイスが、ピア発見をトリガする前記イベントの検出に基づいてピア発見を実行することと
を備える、ワイヤレス通信のための方法。
［Ｃ２］ピア発見をトリガする前記イベントを前記検出することは、アプリケーションが前記デバイス上でアクティブになったことを検出することを備える、Ｃ１に記載の方法。
［Ｃ３］ピア発見をトリガする前記イベントを前記検出することが、前記デバイスの位置の変化を検出することを備える、Ｃ１に記載の方法。
［Ｃ４］前記デバイスの前記位置の前記変化を前記検出することが、前記デバイスのサービングセル、または前記デバイスによって行われる信号強度測定、または前記デバイスの測位、またはそれらの組合せに基づいて、前記デバイスの前記位置の前記変化を検出することを備える、Ｃ３に記載の方法。
［Ｃ５］ピア発見をトリガする前記イベントを前記検出することは、前記デバイスがオンにされたことを検出することを備える、Ｃ１に記載の方法。
［Ｃ６］ピア発見をトリガする前記イベントの検出に基づいてピア発見を前記実行することは、ピア発見をトリガする前記イベントを検出したことに応答して、前記デバイスがピア発見を開始することを備える、Ｃ１に記載の方法。
［Ｃ７］ピア発見をトリガする前記イベントの検出に基づいてピア発見を前記実行することは、ピア発見をトリガする前記イベントを検出したことに応答して、前記デバイスが近傍検出信号を送信することを備える、Ｃ１に記載の方法。
［Ｃ８］ピア発見をトリガするイベントが検出されなかったとき、前記デバイスによる前記近傍検出信号の送信をスキップすること
をさらに備える、Ｃ７に記載の方法。
［Ｃ９］ピア発見をトリガする前記イベントの検出に基づいてピア発見を前記実行することが、ピア発見をトリガする前記イベントを検出したことに応答して、ピアデバイスからの近傍検出信号を受信することを備える、Ｃ１に記載の方法。
［Ｃ１０］ピア発見をトリガするイベントが検出されなかったとき、前記ピアデバイスからの前記近傍検出信号の受信をスキップすること
をさらに備える、Ｃ９に記載の方法。
［Ｃ１１］ピア発見をトリガする前記イベントの検出に基づいてピア発見を前記実行することは、ピア発見をトリガする前記イベントを検出したことに応答して、前記デバイスがピア発見の周期性を変更することを備える、Ｃ１に記載の方法。
［Ｃ１２］ピア発見をトリガする前記イベントの検出に基づいてピア発見を前記実行することは、ピア発見をトリガする前記イベントを検出したことに応答して、前記デバイスがピア発見の少なくとも１つの特性を変更することを備える、Ｃ１に記載の方法。
［Ｃ１３］ピア発見をトリガする前記イベントの検出に基づいてピア発見を前記実行することが、ピア発見をトリガする前記イベントを検出したことに応答して、近傍検出信号を複数回送信することを備える、Ｃ１に記載の方法。
［Ｃ１４］前記近傍検出信号の連続送信が固定遅延によって離間される、Ｃ１３に記載の方法。
［Ｃ１５］前記近傍検出信号の連続送信が、徐々に長くなる遅延によって離間される、Ｃ１３に記載の方法。
［Ｃ１６］ピア発見をトリガするイベントが検出されなかったとき、第１の周期性で近傍検出信号を送信することと、
ピア発見をトリガする前記イベントが検出されたとき、第２の周期性で前記近傍検出信号を送信することであって、前記第１の周期性が前記第２の周期性よりも低い、送信することと
をさらに備える、Ｃ１に記載の方法。
［Ｃ１７］デバイスがピア発見をトリガするイベントを検出するための手段と、
前記デバイスが、ピア発見をトリガする前記イベントの検出に基づいてピア発見を実行するための手段と
を備える、ワイヤレス通信のための装置。
［Ｃ１８］ピア発見をトリガする前記イベントを検出するための前記手段は、アプリケーションが前記デバイス上でアクティブになったこと、または前記デバイスの位置の変化、または前記デバイスがオンにされたこと、を検出するための手段を備える、Ｃ１７に記載の装置。
［Ｃ１９］前記デバイスが、ピア発見をトリガする前記イベントの検出に基づいてピア発見を実行するための前記手段は、ピア発見をトリガする前記イベントを検出したことに応答して、前記デバイスがピア発見を開始するための手段を備える、Ｃ１７に記載の装置。
［Ｃ２０］前記デバイスが、ピア発見をトリガする前記イベントの検出に基づいてピア発見を実行するための前記手段は、ピア発見をトリガする前記イベントを検出したことに応答して、前記デバイスがピア発見の周期性を変更するための手段を備える、Ｃ１７に記載の装置。
［Ｃ２１］デバイスがピア発見をトリガするイベントを検出し、前記デバイスが、ピア発見をトリガする前記イベントの検出に基づいてピア発見を実行するように構成された少なくとも１つのプロセッサ
を備える、ワイヤレス通信のための装置。
［Ｃ２２］前記少なくとも１つのプロセッサは、アプリケーションが前記デバイス上でアクティブになったこと、または前記デバイスの位置の変化、またはピア発見をトリガする前記イベントとして前記デバイスがオンにされたこと、を検出するように構成された、Ｃ２１に記載の装置。
［Ｃ２３］前記少なくとも１つのプロセッサが、ピア発見をトリガする前記イベントを検出したことに応答してピア発見を開始するように構成された、Ｃ２１に記載の装置。
［Ｃ２４］前記少なくとも１つのプロセッサが、ピア発見をトリガする前記イベントを検出したことに応答してピア発見の周期性を変更するように構成された、Ｃ２１に記載の装置。
［Ｃ２５］デバイスがピア発見をトリガするイベントを検出することを少なくとも１つのプロセッサに行わせるためのコードと、
前記デバイスが、ピア発見をトリガする前記イベントの検出に基づいてピア発見を実行することを、前記少なくとも１つのプロセッサに行わせるためのコードと
を備える非一時的コンピュータ可読媒体
を備える、コンピュータプログラム製品。
［Ｃ２６］アプリケーションが第１のデバイス上でアクティブになったことを判断することと、
前記アプリケーションをサポートするために、前記第１のデバイスが第２のデバイスにサービスを要求するためのクエリを送信することと
を備える、ワイヤレス通信のための方法。
［Ｃ２７］前記クエリを前記送信することが、前記クエリを備える近傍検出信号を送信することを備える、Ｃ２６に記載の方法。
［Ｃ２８］前記クエリが、前記第１のデバイスによって要求された前記サービス、または前記サービスが要求される特定のデバイスタイプ、またはその両方を識別する、Ｃ２６に記載の方法。
［Ｃ２９］前記クエリが、近傍検出信号を送信することを開始するように前記第２のデバイスに要求する、Ｃ２６に記載の方法。
［Ｃ３０］前記クエリを送信した後に前記第２のデバイスからの近傍検出信号を検出すること
をさらに備える、Ｃ２６に記載の方法。
［Ｃ３１］前記クエリが、ワイヤレスネットワークを介して前記第１のデバイスに連絡するように前記第２のデバイスに要求する、Ｃ２６に記載の方法。
［Ｃ３２］アプリケーションが第１のデバイス上でアクティブなったことを判断するための手段と、
前記アプリケーションをサポートするために、前記第１のデバイスが第２のデバイスにサービスを要求するためのクエリを送信するための手段と
を備える、ワイヤレス通信のための装置。
［Ｃ３３］前記クエリが、前記第１のデバイスによって要求された前記サービス、または前記サービスが要求される特定のデバイスタイプ、またはその両方を識別する、Ｃ３２に記載の装置。
［Ｃ３４］前記クエリを送信した後に前記第２のデバイスからの近傍検出信号を検出するための手段
をさらに備える、Ｃ３２に記載の装置。
［Ｃ３５］アプリケーションが第１のデバイス上でアクティブになったことを判断し、前記アプリケーションをサポートするために、前記第１のデバイスが第２のデバイスにサービスを要求するためのクエリを送信するように構成された少なくとも１つのプロセッサ
を備える、ワイヤレス通信のための装置。
［Ｃ３６］前記クエリが、前記第１のデバイスによって要求された前記サービス、または前記サービスが要求される特定のデバイスタイプ、またはその両方を識別する、Ｃ３５に記載の装置。
［Ｃ３７］前記少なくとも１つのプロセッサが、前記クエリを送信した後に前記第２のデバイスからの近傍検出信号を検出するように構成された、Ｃ３５に記載の装置。
［Ｃ３８］アプリケーションが第１のデバイス上でアクティブになったことを判断することを少なくとも１つのプロセッサに行わせるためのコードと、
前記アプリケーションをサポートするために、前記第１のデバイスが第２のデバイスにサービスを要求するためのクエリを送信することを、前記少なくとも１つのプロセッサに行わせるためのコードと
を備える非一時的コンピュータ可読媒体
を備える、コンピュータプログラム製品。
【国際調査報告】
2013534775.tif 000012
2013534775.tif 000013
2013534775.tif 000014